(57)【要約】【課題】  高速早送り／巻き戻し機能によるビデオテープの早送り／巻き戻し時に、キャプスタンドライブに過大な負荷が長時間連続してかかるのを防止することで、このキャプスタンドライブの発熱による破損を防止し、装置本体の信頼性の向上を図ったビデオテープレコーダを提供する。【解決手段】  ビデオテープレコード１は、Ｎ値が予め定めた値以下になる前に（巻き戻しが完了するテープエンド付近まで進む前に、）、キャプスタンモータ１３ａの回転速度が予め定めた回転速度以下に低下すると、キャプスタンドライブ１３ｂがキャプスタンモータ１３ａに印加している第１の電圧を、この第１の電圧よりも低い第２の電圧に切り換える。したがって、キャプスタンドライブ１３ｂの発熱を抑え、キャプスタンドライブ１３ｂの熱破損を防止でき、装置本体の信頼性の向上が図れる。【選択図】  図３
2006065911.tif 000002
【特許請求の範囲】
【請求項１】
本体にセットされたビデオテープの供給側リールの回転速度、および巻取側リールの回転速度を検出する検出手段と、
本体にセットされているビデオテープの早送り／巻き戻し時に、前記検出手段により検出された供給側リールの回転速度と巻取側リールの回転速度との比率が予め定めた比率に達するまで、ビデオテープを移送するキャプスタンモータに印加する電圧を第１の電圧に設定し、前記比率が予め定めた比率に達すると、前記キャプスタンモータに印加する電圧を前記第１の電圧よりも低い第２の電圧に設定する早送り／巻き戻し制御手段と、を備えたビデオテープレコーダにおいて、
前記キャプスタンモータの回転速度を検出する回転速度検出手段を備え、
前記早送り／巻き戻し制御手段は、本体にセットされているビデオテープの早送り／巻き戻し時に、前記キャプスタンモータに前記第１の電圧を印加している間、前記回転速度検出手段が検出している前記キャプスタンモータの回転速度が予め定めた回転速度まで低下すると、前記キャプスタンモータに印加する電圧を一旦オフした後、予め定めた一定時間経過後に前記第２の電圧に設定するビデオテープレコーダ。
【請求項２】
本体にセットされたビデオテープの供給側リールの回転速度、および巻取側リールの回転速度を検出する検出手段と、
本体にセットされているビデオテープの早送り／巻き戻し時に、前記検出手段により検出された供給側リールの回転速度と巻取側リールの回転速度との比率が予め定めた比率に達するまで、ビデオテープを移送するキャプスタンモータに印加する電圧を第１の電圧に設定し、前記比率が予め定めた比率に達すると、前記キャプスタンモータに印加する電圧を前記第１の電圧よりも低い第２の電圧に設定する早送り／巻き戻し制御手段と、を備えたビデオテープレコーダにおいて、
前記キャプスタンモータの回転速度を検出する回転速度検出手段を備え、
前記早送り／巻き戻し制御手段は、本体にセットされているビデオテープの早送り／巻き戻し時に、前記キャプスタンモータに前記第１の電圧を印加している間、前記回転速度検出手段が検出している前記キャプスタンモータの回転速度が予め定めた回転速度まで低下すると、前記キャプスタンモータに印加する電圧を前記第２の電圧に設定するビデオテープレコーダ。
【請求項３】
前記早送り／巻き戻し制御手段は、本体にセットされているビデオテープの早送り／巻き戻し時に、前記キャプスタンモータに前記第１の電圧を印加している間、前記回転速度検出手段が検出している前記キャプスタンモータの回転速度が予め定めた回転速度まで低下すると、前記キャプスタンモータに印加する電圧を一旦オフし、その後前記第２の電圧に設定する請求項２に記載のビデオテープレコーダ。
【発明の詳細な説明】
【技術分野】
【０００１】
この発明は、ビデオテープに映像や音声を記録したり、ビデオテープに記録されている映像や音声を再生するビデオテープレコーダに関し、特にビデオテープの早送り／巻き戻しを高速に行う高速早送り／巻き戻し機能を有するビデオテープレコーダに関する。
【背景技術】
【０００２】
従来、ビデオテープに映像や音声を記録したり、ビデオテープに記録されている映像や音声を再生するビデオテープレコーダが一般に普及している。一般的なビデオテープレコーダには、本体にセットされているビデオテープの早送り／巻き戻しを高速に行う、高速早送り／巻き戻し機能（高速ＦＦ／ＲＥＷ機能）が設けられている。この高速早送り／巻き戻し機能は、ビデオテープを移送するキャプスタンモータを高速に回転させ、ビデオテープの早送り／巻き戻しが完了するテープエンド付近でキャプスタンモータの回転速度を減速させて低速に切り換える機能である。これにより、ビデオテープの早送り／巻き戻しが短時間で行える。また、早送り／巻き戻しが完了するテープエンド付近でキャプスタンモータの回転速度を減速させて低速に切り換えることで、早送り／巻き戻しの完了時にビデオテープにかかる巻き取り方向の張力を抑え、ビデオテープの切断等の破損を防止している。
【０００３】
また、高速早送り／巻き戻し機能によるビデオテープの早送り／巻き戻しにおいて、ビデオテープを移送するキャプスタンモータを低速に切り換えるタイミングの検出、すなわちビデオテープの早送り／巻き戻しが完了するテープエンド付近の検出、は特許文献１、２に示されているように、ビデオテープの供給側リールの回転速度と巻取側リールの回転速度の比率により行われている。
【特許文献１】特開平５−７４００５号公報
【特許文献２】特開昭５７−１０５８４４号公報
【発明の開示】
【発明が解決しようとする課題】
【０００４】
しかしながら、ビデオテープ毎に早送り／巻き戻し時におけるビデオテープの巻取負荷、言い換えれば巻き取りに必要なトルク、が異なる。また、周囲温度によってもビデオテープの巻取負荷が変化する（低温になるほど巻取負荷が大きくなる。）。巻取負荷が大きくなると、キャプスタンモータのドライブ回路（以下、キャプスタンドライブと言う。）にかかる負荷が増大する。従来のビデオテープレコーダは、高速早送り／巻き戻し機能によるビデオテープの早送り／巻き戻しにおいて、上述したように早送り／巻き戻しが完了するテープエンド付近になるまで、キャプスタンドライブが、キャプスタンモータに略上限値の電圧を印加している。したがって、本体にセットされているビデオテープの巻取負荷が大きい場合、高速早送り／巻き戻し時に、キャプスタンドライブに過大な負荷が長時間連続してかかることになり、キャプスタンドライブが発熱により破損するという問題があった。
【０００５】
この発明の目的は、高速早送り／巻き戻し機能によるビデオテープの早送り／巻き戻し時に、キャプスタンドライブに過大な負荷が長時間連続してかかるのを防止することで、このキャプスタンドライブの発熱による破損を防止し、装置本体の信頼性の向上を図ったビデオテープレコーダを提供することにある。
【課題を解決するための手段】
【０００６】
この発明のビデオテープレコーダは、上記課題を解決するために以下の構成を備えている。
【０００７】
本体にセットされたビデオテープの供給側リールの回転速度、および巻取側リールの回転速度を検出する検出手段と、
本体にセットされているビデオテープの早送り／巻き戻し時に、前記検出手段により検出された供給側リールの回転速度と巻取側リールの回転速度との比率が予め定めた比率に達するまで、ビデオテープを移送するキャプスタンモータに印加する電圧を第１の電圧に設定し、前記比率が予め定めた比率に達すると、前記キャプスタンモータに印加する電圧を前記第１の電圧よりも低い第２の電圧に設定する早送り／巻き戻し制御手段と、を備えたビデオテープレコーダにおいて、
前記キャプスタンモータの回転速度を検出する回転速度検出手段を備え、
前記早送り／巻き戻し制御手段は、本体にセットされているビデオテープの早送り／巻き戻し時に、前記キャプスタンモータに前記第１の電圧を印加している間、前記回転速度検出手段が検出している前記キャプスタンモータの回転速度が予め定めた回転速度まで低下すると、前記キャプスタンモータに印加する電圧を前記第２の電圧に設定する。
【０００８】
この構成では、検出手段がビデオテープの供給側リールの回転速度、および巻取側リールの回転速度を検出する。早送り／巻き戻し制御手段が、ビデオテープの早送り／巻き戻し時に、供給側リールの回転速度と巻取側リールの回転速度との比率が予め定めた比率に達するまで、キャプスタンモータに第１の電圧を印加する。この第１の電圧は、後述する第２の電圧よりも高く、キャプスタンモータを高速に回転させ、ビデオテープを高速に移送するときに印加する電圧である。また、早送り／巻き戻し制御手段は、供給側リールの回転速度と巻取側リールの回転速度との比率が予め定めた比率に達すると、ビデオテープの早送り／巻き戻しが完了するテープエンド付近であると判断し、キャプスタンモータに印加している電圧を第１の電圧よりも低い第２の電圧に切り換え、キャプスタンモータの回転速度を減速させて低速にする。これにより、早送り／巻き戻しの完了時にビデオテープにかかる巻き取り方向の張力が抑えられ、ビデオテープの切断等の破損が防止できる。
【０００９】
さらに、早送り／巻き戻し制御手段が、ビデオテープの早送り／巻き戻しの実行時に、キャプスタンモータに第１の電圧を印加しているとき、キャプスタンモータの回転速度が予め定めた回転速度まで低下すると、キャプスタンモータに印加している電圧を第１の電圧よりも低い第２の電圧に設定する（第１の電圧から第２の電圧に切り換える。）。これにより、ビデオテープの巻き取り負荷（巻き取りに必要なトルク）が大きい場合に、キャプスタンモータのドライブ（キャプスタンドライブ）に過大な負荷が長時間連続してかかるのを防止できるので、キャプスタンライブが発熱により破損するのを防止でき、装置本体の信頼性の向上が図れる。
【００１０】
また、キャプスタンモータの回転速度が予め定めた回転速度まで低下したときに、キャプスタンモータに印加している電圧を一旦オフし、その後第２の電圧に切り換えるようにすれば、キャプスタンドライブの放熱を助けることができ、ドライブ回路が発熱により破損するのをより確実に防止できる。
【００１１】
さらに、キャプスタンモータに印加している電圧を一旦オフしてから、一定時間（１〜２秒）待って第２の電圧を印加するようにしてもよい。このようにすれば、キャプスタンドライブに十分に放熱させることができる。したがって、キャプスタンドライブの発熱による破損が一層確実に防止できる。
【発明の効果】
【００１２】
この発明によれば、巻き取り負荷が大きいビデオテープであっても、高速早送り／巻き戻し機能による早送り／巻き戻し時に、キャプスタンドライブに過大な負荷が長時間連続してかかるのを防止できるので、キャプスタンドライブが発熱により破損するのを確実に防止できる。したがって、装置本体の信頼性を向上させることができる。
【発明を実施するための最良の形態】
【００１３】
以下、この発明の実施形態であるビデオテープレコーダについて説明する。
【００１４】
図１は、この発明の実施形態であるビデオテープレコーダの主要部の構成を示すブロック図である。この実施形態のビデオテープレコーダ１は、本体の動作を制御する制御部２と、映像信号および音声信号の入力を受け付ける入力部３と、入力部３が受け付けた映像信号および音声信号をビデオテープ１０に記録したり、ビデオテープ１０に記録されている映像信号および音声信号を読み取り再生する記録／再生部４と、記録／再生部４が再生した映像信号および音声信号を出力する出力部５と、本体にセットされているビデオテープ１０の移送を制御する移送制御部６と、ビデオテープレコーダ１本体に対して入力操作を行う操作部７と、を備えている。入力部３は、図示していないアンテナが接続されており、このアンテナで受信されているテレビ放送信号から選択されているチャンネルで放送されている番組の映像信号および音声信号を抽出するチューナを有している。また、入力部３には、ビデオテープレコーダ、ＤＶＤプレイヤ等の他の機器が接続され、この接続されている機器から入力された映像信号および音声信号の入力を受け付ける機能も有している。記録／再生部４は、映像信号および音声信号をビデオテープ１０に記録する記録ヘッドやビデオテープ１０に記録されている映像信号および音声信号を読み取る再生ヘッドを有している。出力部５は、記録／再生部４から入力された映像信号および音声信号を出力する。出力部５にテレビ受像機等の機器が接続され、この機器において出力部５から出力された映像信号に基づく映像、および音声信号に基づく音声が出力される。
【００１５】
移送制御部６には、図２に示すようにビデオカセットレコーダ１にセットされているビデオテープ１０の供給側のリール１１ａ（以下、Ｓ側リール１１ａと言う。）の回転速度を検出するＳ側センサ１１ｂ、ビデオテープ１０の巻取側のリール１２ａ（以下、Ｔ側リール１２ａと言う。）の回転速度を検出するＴ側センサ１２ｂ、ビデオテープ１０を移送するキャプスタンモータ１３ａ、およびこのキャプスタンモータ１３ａの回転をコントロールするキャプスタンドライブ１３ｂとを有している。また、Ｓ側センサ１１ｂが検出しているＳ側リール１１ａの回転速度、およびＴ側センサ１２ｂが検出しているＴ側リール１２ａの回転速度は、制御部２に入力される。Ｓ側センサ１１ｂおよびＴ側センサ１２ｂが、この発明で言う検出手段に相当する。また、キャプスタンドライブ１３ｂはキャプスタンモータ１３ａの回転速度を検出する機能（この発明で言う回転速度検出手段）を有している。キャプスタンモータ１３ａには回転速度を検出するためのＦＧ（不図示）が設けられている。また、ビデオテープ１０をＳ側リール１１ａに巻き取っているとき、このＳ側リール１１ａにキャプスタンモータ１３ａの回転力を伝達し、ビデオテープ１０を巻き取る方向に回転させ、反対にビデオテープ１０をＴ側リール１２ａに巻き取っているとき、このＴ側リール１１ａにキャプスタンモータ１３ａの回転力を伝達し、ビデオテープ１０を巻き取る方向に回転させるギヤ群（不図示）を有している。キャプスタンドライブ１３ｂは、キャプスタンモータ１３ａに設けられているＦＧの出力により回転速度を検出し、制御部２に入力する。制御部２は、キャプスタンドライブ１３ｂに対してキャプスタンモータの回転速度等を指示する。また、操作部７には、ユーザが操作する操作キーや、図示していないリモコン装置から送信されてきた制御信号を受信する受信部が設けられている。
【００１６】
この実施形態のビデオテープレコーダ１は、ビデオテープ１０の早送り、および巻き戻し時に、キャプスタンドライブ１３ｂがキャプスタンモータ１３ａに第１の電圧、またはこの第１の電圧よりも低い第２の電圧を選択的に印加する。具体的には、キャプスタンドライブ１３ｂは、制御部２からの指示にしたがって、キャプスタンモータ１３ａに印加する電圧を調整する。第１の電圧はキャプスタンドライブ１３ｂがキャプスタンモータ１３ａに印加することができる最大電圧よりも少し低い電圧であり、第２の電圧はビデオテープ１０の早送り／巻き戻しの完了時にビデオテープ１０が巻き取り方向の張力によって殆どダメージを受けない電圧である。
【００１７】
次に、この発明の実施形態であるビデオテープレコード１における巻き戻し時の動作について説明する。図３は、この実施形態のビデオテープレコードにおける巻き戻し動作を示すフローチャートである。ビデオテープレコーダ１は、操作部７において、ビデオテープの巻き戻しにかかる入力を受け付けると、この動作を開始する。ビデオテープレコーダ１は、キャプスタンドライブ１３ｂによりキャプスタンモータ１３ａに第２の電圧を印加する（ｓ１）。この第２の電圧は、ビデオテープ１０の巻き戻しを比較的低速で行うときに印加する電圧であり、上述したように巻き戻しの完了時にビデオテープ１０が巻き取り方向の張力によって殆どダメージを受けない電圧である。このとき、Ｓ側センサ１１ｂ、およびＴ側センサ１２ｂは、それぞれＳ側リール１１ａおよびＴ側リール１２ａの回転速度を検出している。ビデオテープ１０の移送速度は、キャプスタンモータ１３ａの回転速度で決まる。キャプスタンモータ１３ａの回転速度は、キャプスタンドライブ１３ｂにより印加されている電圧が同じである場合、ビデオテープ１０の巻取負荷が大きくなるにつれて低速になる。
【００１８】
ビデオテープレコーダ１は、Ｓ側センサ１１ｂにより検出しているＳ側リール１１ａの回転速度と、Ｔ側センサ１２ｂにより検出しているＴ側リール１２ａの回転速度との比率であるＮ値を算出する（ｓ２）。巻き戻し時におけるＮ値は、
Ｎ値＝Ｓ側リール１１ａの回転速度／Ｔ側リール１２ａの回転速度
により算出される。ビデオテープレコーダ１は、ｓ３で算出したＮ値が予め定めた値以下であるかどうかを判定する（ｓ３）。
【００１９】
巻き戻し時におけるＮ値は、Ｓ側リール１１ａに巻かれているビデオテープ１０の径と、Ｔ側リール１２ａに巻かれているビデオテープ１０の径により変化する。簡単にいうと、ビデオテープの巻き戻しが進むにつれてＳ側リール１１ａの径が大きくなり、反対にＴ側リール１２ａの径が小さくなる。したがって、ビデオテープの巻き戻しが進むにつれてＮ値は小さくなる。ｓ３では、Ｔ側リール１２ａに巻かれているビデオテープ１０がわずかであり、巻き戻しが完了するテープエンド付近であるかどうかを判定している。言い換えれば、Ｎ値と比較する値は巻き戻しが完了するテープエンド付近で算出されるＮ値に設定されている。ビデオテープレコーダ１は、ｓ３でＮ値が予め定めた値以下であると判定すると、すなわち巻き戻しが完了するテープエンド付近であると判定すると、キャプスタンドライブ１３ｂがキャプスタンモータ１３ａに第２の電圧を印加している状態を保持して、ビデオテープ１０の巻き戻しが完了するのを待つ（ｓ８）。そして、キャプスタンドライブ１３ｂがキャプスタンモータ１３ａに印加している電圧をオフし（ｓ９）、本処理を終了する。
【００２０】
一方、ビデオテープレコーダ１は、ｓ３でＮ値が予め定めた値以下でないと判定すると、すなわち巻き戻しが完了するテープエンド付近でないと判定すると、キャプスタンドライブ１３ｂがキャプスタンモータ１３ａに印加している第２の電圧を、この第２の電圧よりも高い第１の電圧に切り換える（ｓ４）。キャプスタンモータ１３ａに印加している電圧を第１の電圧に切り換えたことにより、キャプスタンモータ１３ａの回転速度が上がり、ビデオテープ１０の移送速度が高速になり、高速巻き戻しが開始される。
【００２１】
ビデオテープレコーダ１は、高速巻き戻しの状態になると、Ｎ値が予め定めた値以下になるか、キャプスタンモータ１３ａの回転速度が予め定めた回転速度以下に低下するのを監視する（ｓ５、ｓ６）。ビデオテープレコーダ１は、キャプスタンモータ１３ａの回転速度が予め定めた回転速度以下に低下することなく、Ｎ値が予め定めた値以下になると（巻き戻しが完了するテープエンド付近まで進むと、）、キャプスタンドライブ１３ｂがキャプスタンモータ１３ａに印加している第１の電圧を、この第１の電圧よりも低い第２の電圧に切り換え（ｓ７）、ｓ８でビデオテープ１０の巻き戻しが完了するのを待つ。そして、キャプスタンドライブ１３ｂがキャプスタンモータ１３ａに印加している電圧をオフし（ｓ９）、本処理を終了する。
【００２２】
また、ビデオテープレコード１は、Ｎ値が予め定めた値以下になる前に（巻き戻しが完了するテープエンド付近まで進む前に、）、キャプスタンモータ１３ａの回転速度が予め定めた回転速度以下に低下すると、ｓ７でキャプスタンドライブ１３ｂがキャプスタンモータ１３ａに印加している第１の電圧を、この第１の電圧よりも低い第２の電圧に切り換える。キャプスタンドライブ１３ｂが第１の電圧をキャプスタンモータ１３ａに印加しているときに、キャプスタンモータ１３ａの回転速度が予め定めた回転速度よりも低下する原因は、ビデオテープ１０の巻取り負荷が通常よりも大きいことである。ｓ６で比較に用いる回転速度は、実験等でキャプスタンドライブ１３ｂが発熱により破損するビデオテープ１０の巻取負荷を測定し、この測定結果に基づいて設定しておけばよい。
【００２３】
キャプスタンモータ１３ａの回転速度が予め定めた回転速度よりも低下した場合、キャプスタンドライブ１３ｂは第１の電圧をキャプスタンモータ１３ａに印加しつづけると、発熱による熱破損の危険性が高い。この実施形態のビデオテープレコーダ１は、このような状態になると、キャプスタンドライブ１３ｂがキャプスタンモータ１３ａに印加する電圧を第１の電圧からこの第１の電圧よりも低い第２の電圧に切り換えるので、キャプスタンドライブ１３ｂの発熱が抑えられる。したがって、本体にセットされているビデオテープ１０の巻取負荷が通常時よりも大きい場合であっても、キャプスタンドライブ１３ｂがいつまでもキャプスタンモータ１３ａに第１の電圧を印加しつづけないので、キャプスタンドライブ１３ｂの発熱が抑えられ、キャプスタンドライブ１３ｂの熱破損を防止でき、装置本体の信頼性の向上が図れる。
【００２４】
また、ｓ７でキャプスタンドライブ１３ｂがキャプスタンモータ１３ａに印加している第１の電圧を、この第１の電圧よりも低い第２の電圧に切り換える処理を、図４（Ａ）に示す処理としてもよい。具体的には、キャプスタンドライブ１３ｂがキャプスタンモータ１３ａに印加している電圧を一旦オフし（ｓ１１）、その後キャプスタンモータ１３ａに印加する電圧を第２の電圧にする（ｓ１２）。このように、キャプスタンドライブ１３ｂがキャプスタンモータ１３ａに印加する電圧を一旦オフし、その後第２の電圧を印加することにより、キャプスタンドライバ１３ｂにこれまでに溜まった熱を放熱する時間を与えることができ、より確実にキャプスタンドライブ１３ｂの熱破損が防止できる。
【００２５】
さらに、図４（Ｂ）に示すように、キャプスタンドライブ１３ｂがキャプスタンモータ１３ａに印加する電圧を一旦オフしてから一定時間（１〜２秒）経過するのを待って（ｓ１１、ｓ１３）、ｓ１２でキャプスタンモータ１３ａに印加する電圧を第２の電圧にするようにしてもよい。このようにすれば、確実にキャプスタンドライバ１３ｂにこれまでに溜まった熱を放熱させることができ、一層確実にキャプスタンドライブ１３ｂの熱破損を防止できる。
【００２６】
上記の説明ではビデオテープ１０の巻き戻し時における動作を説明したが、早送り時も略同じである。異なる点は、ｓ２等で算出するＮ値である。具体的には、早送り時におけるＮ値は、
Ｎ値＝Ｔ側リールの回転速度／Ｓ側リールの回転速度
により算出する。
【図面の簡単な説明】
【００２７】
【図１】この発明の実施形態であるビデオテープレコーダの主要部の構成を示すブロック図である。
【図２】この発明の実施形態であるビデオテープレコーダの移送制御部の構成を示す図である。
【図３】この実施形態のビデオテープレコードにおける巻き戻し動作を示すフローチャートである。
【図４】別の実施形態のビデオテープレコードにおける巻き戻し動作を示すフローチャートである。
【符号の説明】
【００２８】
１−ビデオテープレコーダ
２−制御部
６−移送制御部
１１ａ−供給側リール（Ｓ側リール）
１１ｂ−Ｓ側センサ
１２ａ−巻取り側リール（Ｔ側リール）
１２ｂ−Ｔ側センサ
１３ａ−キャプスタンモータ
１３ｂ−キャプスタンドライバ
【図１】
2006065911.tif 000003
【図２】
2006065911.tif 000004
【図３】
2006065911.tif 000005
【図４】
2006065911.tif 000006